(57)【要約】      （修正有）【課題】プランジャーを用いて薬剤を消尽した後にプランジャーの移動を拘束する再使用防止使い捨て注射器を提供する。【解決手段】一端部に注射針が取り付けられ、他端部に開口部が形成されたシリンダー；シリンダーの他端部を覆い、開口部に対向する通孔が形成されたハウジング２００；通孔に形成され、通孔から開口部に向けて管路を形成し、管路が弾力的に広がるように形成された一方向進入部３００；シリンダーの内部に薬剤を吸いこみ薬剤を注射針を通じて吐き出す圧力を発生させ、管路を通じてシリンダーの内部に進入するプランジャー；及びプランジャーの周囲に形成され、管路より大きな直径を有し、管路を通じて進入するとき、管路を広げながらハウジングの内部に進入する拘束片５００：を含み、拘束片と注射針の間にはプランジャーに着脱する進入防止クリップ６００をさらに含み、進入防止クリップは通孔より大きく形成され、拘束片のハウジング内部への進入を防止する。【選択図】図１
0003221644.tif 000002
【実用新案登録請求の範囲】
【請求項１】
一端部に注射針が取り付けられ、他端部に開口部が形成されたシリンダー；
前記シリンダーの他端部を覆い、シリンダーの開口部に対向する通孔が形成されたハウジング；
前記ハウジングの通孔に形成され、前記通孔からシリンダーの開口部に向けて管路を形成し、管路が弾力的に広がるように形成された一方向進入部；
前記シリンダーの内部に薬剤を吸いこむ又はシリンダーの内部の薬剤を注射針を通じて吐き出す圧力を発生させ、一方向進入部の管路を通じてシリンダーの内部に進入するプランジャー；及び
前記プランジャーの周囲に形成され、一方向進入部の管路の直径より大きな直径を有し、一方向進入部の管路を通じて進入するとき、一方向進入部の管路を広げながらハウジングの内部に進入する拘束片：を含むことを特徴とする、再使用防止使い捨て注射器。
【請求項２】
前記一方向進入部の管路は、複数の筋に分離された複数の弾性片で構成されることを特徴とする、請求項１に記載の再使用防止使い捨て注射器。
【請求項３】
前記プランジャーの一端部には軟質のガスケットが結合され、プランジャーの他端部には、プランジャーを把持することができるように、プランジャーの直径より大きな直径を有するプッシュヘッドが形成され、
前記プッシュヘッドはプランジャーの直径より小さな直径を有する破断首を介して連結されることを特徴とする、請求項１に記載の再使用防止使い捨て注射器。
【請求項４】
前記プランジャーおいて、拘束片と注射針の間にはプランジャーに着脱する進入防止クリップをさらに含み、前記進入防止クリップはハウジングの通孔より大きく形成されることにより、拘束片がハウジングの内部に進入することを防止することを特徴とする、請求項１に記載の再使用防止使い捨て注射器。
【考案の詳細な説明】
【技術分野】
【０００１】
本考案は再使用防止使い捨て注射器に関するもので、より詳しくはプランジャーの圧力を用いて薬剤を消尽した後にはプランジャーの移動を拘束して注射器の再使用を根本的に防止することができるようにした再使用防止使い捨て注射器に関するものである。
【背景技術】
【０００２】
日常生活用品のうち、衛生又は社会安全網の維持の目的で、一度使われた製品が再使用されることを法で禁止した品目が多数あるが、主に経済的な理由で再使用禁止製品を再使用している事例が頻繁に発生している実情である。
【０００３】
したがって、再使用禁止という法のみ制定し、実際に対策を提供しないことは責任ある措置であると言えないため、再使用禁止品目は技術的装置を用いることで、法規制定に加え、一度使った用品は使いたくても二度と使えないように、製品そのものを再使用不可能にする必要がある場合もある。
【０００４】
特に、伝染を防止するために一度使用した後には廃棄しなければならないことを原則とする使い捨て注射器は注射器の構成がいくらでも再使用できるようになっているから、一部ではお湯などで使い捨て注射器を殺菌して再使用する場合があり、はなはだしくは殺菌過程を経なかった注射器を再使用して深刻な副作用をもたらすこともあった。
【０００５】
極貧国の一部の非良心的医療関係者は使い捨て注射器を多数回使用する場合が少なくないから、さまざまな疾病が再使用注射器を介して広範囲に伝染して社会的な問題を引き起こしていることが現実である。
【０００６】
このような問題点を解決するために、最近には再使用防止のための多くの種類の使い捨て注射器が開発された状態である。
【０００７】
しかし、前述したような従来の再使用防止使い捨て注射器は、構成が複雑で、製作コストが高いため、経済性が落ちる問題があった。
【０００８】
例えば、一部製品の場合、再使用防止に対する技術的構成が複雑であるため、再使用防止構成が備えられていない一般的な使い捨て注射器に比べて製品価格が１０倍〜２０倍に達し、よって医療現場で使われていない実情である。
【先行技術文献】
【特許文献】
【０００９】
【特許文献１】韓国登録特許第１０−１２８２２０９号公報
【特許文献２】韓国登録実用新案第２０−０３９１３７０号公報
【考案の概要】
【考案が解決しようとする課題】
【００１０】
本考案は前述した問題点を解決するためになされたもので、本考案の目的は、プランジャーの圧力を用いて薬剤を全部消尽した後にはシリンダーにおけるプランジャーの後進を防止することで、再使用を基本的に封鎖することができるようにした再使用防止使い捨て注射器を提供することである。
【００１１】
本考案の他の目的は、プランジャーに進入防止クリップの着脱によってシリンダーの内部にプランジャーが進入することを制御することができるようにして、不注意によってプランジャーがシリンダーの内部に進入することを防止するようにした再使用防止使い捨て注射器を提供することである。
【課題を解決するための手段】
【００１２】
前述した目的を達成するために、本考案は、一端部に注射針が取り付けられ、他端部に開口部が形成されたシリンダー；前記シリンダーの他端部を覆い、シリンダーの開口部に対向する通孔が形成されたハウジング；前記ハウジングの通孔に形成され、前記通孔からシリンダーの開口部に向けて管路を形成し、管路が弾力的に広がるように形成された一方向進入部；前記シリンダーの内部に薬剤を吸いこむ又はシリンダーの内部の薬剤を注射針を通じて吐き出す圧力を発生させ、一方向進入部の管路を通じてシリンダーの内部に進入するプランジャー；及び前記プランジャーの周囲に形成され、一方向進入部の管路の直径より大きな直径を有し、一方向進入部の管路を通じて進入するとき、一方向進入部の管路を広げながらハウジングの内部に進入する拘束片：を含むことを特徴とする再使用防止使い捨て注射器を提供する。
【００１３】
この際、前記一方向進入部の管路は、複数の筋に分離された複数の弾性片で構成されることが好ましい。
【００１４】
また、前記プランジャーの一端部には軟質のガスケットが結合され、プランジャーの他端部には、プランジャーを把持することができるように、プランジャーの直径より大きな直径を有するプッシュヘッドが形成され、前記プッシュヘッドはプランジャーの直径より小さな直径を有する破断首を介して連結されることが好ましい。
【考案の効果】
【００１５】
本考案による再使用防止使い捨て注射器は次のような効果がある。
【００１６】
第一、プランジャーによってシリンダーの内部の薬剤が注射針を通じて全部吐き出されれば、前記プランジャーに形成された拘束片が一方向進入部の弾性片の端部にかかってプランジャーの後進が拘束される。
【００１７】
このように、プランジャーの前進によってシリンダー内の薬剤が全部吐き出されば、プランジャーの拘束片が弾性片の端部にかかってプランジャーの後進が抑制されるので、シリンダー内への薬剤の流入を根本的に封鎖して使い捨て注射器の再使用を防止することができる効果がある。
【００１８】
第二、進入防止クリップがプランジャーに着脱可能に備えられるので、注射器の使用を望まない場合にはシリンダーの内部にプランジャーが進入できないようにする。
【００１９】
すなわち、プランジャーに着脱される進入防止クリップを用いてシリンダーの内部にプランジャーが進入することを拘束することができるものである。
【００２０】
これにより、シリンダー内に薬剤が流入する前にプランジャーが進入して注射器の使用が不可能になって注射器が浪費されることを防止することができる効果がある。
【図面の簡単な説明】
【００２１】
【図１】本考案の好適な実施例による再使用防止使い捨て注射器を示した斜視図である。
【図２】本考案の好適な実施例による再使用防止使い捨て注射器のハウジング及び一方向進入部を示した図である。
【図３】本考案の好適な実施例による再使用防止使い捨て注射器の使用前の状態を示した側断面図である。
【図４】本考案の好適な実施例による再使用防止使い捨て注射器の使用前の進入防止クリップが結合された状態を示した図である。
【図５】本考案の好適な実施例による再使用防止使い捨て注射器を使うために、進入防止クリップを分離した後、薬剤注入のためにプランジャーを後進させる状態を示した側断面図である。
【図６】本考案の好適な実施例による再使用防止使い捨て注射器の使用完了状態を示した側断面図である。
【考案を実施するための形態】
【００２２】
本明細書及び請求範囲に使用される用語又は単語は通常的又は辞書的な意味に限定して解釈されてはならず、考案者は自分の考案を最良の方法で説明するために用語の概念を適切に定義することができるという原則にしたがって本考案の技術的思想に符合する意味及び概念と解釈されなければならない。
【００２３】
以下、添付図面の図１〜図６を参照して本考案の好適な実施例による再使用防止使い捨て注射器について説明する。
【００２４】
再使用防止使い捨て注射器は、一方向進入部が取り付けられた別途のハウジングをシリンダーに備え、前記一方向進入部にかかって後進が抑制されるプランジャーを備えたことに技術的特徴がある。
【００２５】
これにより、プランジャーの進行によって、シリンダーの内部に収容された薬剤を全部消尽した後にはプランジャーがシリンダーの外部に抜け出ることができないようにして注射器の再使用を防止することができるようにする。
【００２６】
再使用防止使い捨て注射器は、シリンダー１００と、ハウジング２００と、一方向進入部３００と、プランジャー４００と、拘束片５００と、進入防止クリップ６００とを含んでなる。
【００２７】
シリンダー１００は薬剤を収容する空間を提供し、その一端部には薬剤が流入するとか吐き出される注射針１１０が結合され、その他端部には、プランジャー４００がシリンダーの内部に出入する開口部１２０が形成される。
【００２８】
次に、ハウジング２００は、プランジャー４００がシリンダー１００内の薬剤を全部消尽した後にシリンダー１００の外部に抜け出ることを防止するための一方向進入部３００が設けられる構成であり、一方向進入部３００が取り付けられるための所定の内部空間を形成する。
【００２９】
ハウジング２００はシリンダー１００の他端部に形成された開口部１２０を覆い、開口部に対応する通孔２１０を有する。
【００３０】
次に、一方向進入部３００は、プランジャー４００がシリンダー１００内の薬剤を全部消尽したとき、プランジャー４００がシリンダー１００の外部に抜け出ることを防止する役目をし、ハウジング２００の通孔２１０に形成される。
【００３１】
一方向進入部３００は、ハウジング２００とシリンダー１００の開口部１２０の間に、プランジャー４００が通過する管路を形成する。
【００３２】
前記管路の直径は後述する拘束片５００の直径に比べて小さく形成される。
【００３３】
この際、前記管路はハウジング２００の通孔２１０から開口部１２０側に行くほど次第に狭くなるように形成されることができるが、これに限定されるものではない。
【００３４】
これは、拘束片５００がハウジング２００の内部に位置するとき、一方向進入部３００の端部と効果的に干渉することができるようにするためである。
【００３５】
一方、一方向進入部３００の素材は弾性力を有する素材であることが好ましい。
【００３６】
これは、一方向進入部３００の管路を通過する拘束片５００が管路を確張するために一方向進入部３００を外側に拡開することができるようにするためである。
【００３７】
この際、一方向進入部３００は、図２に示したように、多数筋に分岐された弾性片３１０を備えることが好ましい。
【００３８】
このように、一方向進入部３００の管路に多数筋に分岐された複数の弾性片３１０を形成することにより、管路がより容易に拡張できるようになる。
【００３９】
次に、プランジャー４００はシリンダー１００内の圧力を制御し、シリンダー１００内に薬剤が流入するようにするとかシリンダー１００内の薬剤を外部に吐き出す役目をする。
【００４０】
すなわち、プランジャー４００はシリンダー１００内に正圧又は負圧を発生させて薬剤の出入を制御するものである。
【００４１】
プランジャー４００の長さはシリンダー１００の長さに対応することが好ましく、プランジャー４００の一端部と他端部にはそれぞれガスケット４１０とプッシュヘッド４２０が設けられる。
【００４２】
ガスケット４１０はシリンダー１００の内周面の気密を維持することで、薬剤がプランジャー４００側に漏れることを防止する。
【００４３】
プッシュヘッド４２０はプランジャー４００の把持を容易にする役目をし、プッシュヘッド４２０の直径はプランジャー４００の直径に比べて大きく形成される。
【００４４】
この際、プッシュヘッド４２０はプランジャー４００の端部に形成され、プランジャー４００の直径に比べて小さな直径を有する破断首４３０を介して連結される。
【００４５】
すなわち、破断首４３０はプランジャー４００とプッシュヘッド４２０を連結するが、その直径が細く形成されることで、図６の状態で注射器の再使用のためにプッシュヘッド４２０を摘んでプランジャー４００を無理やりに引っぱるときに破断首４３０が切断されて再使用を根本的に封鎖する役目をするものである。
【００４６】
次に、拘束片５００は、シリンダー１００内の薬剤の吐出のためにプランジャー４００がシリンダー１００内に挿入された後にプランジャー４００が後進できないようにシリンダー１００内に拘束させる役目し、プランジャー４００の周囲に形成される。
【００４７】
前記拘束片５００は円形に形成されることが好ましく、プランジャー４００の直径に比べて大きな直径で形成される。
【００４８】
また、拘束片５００は一方向進入部３００の管路に比べて大きな直径を有するように形成され、一方向進入部３００を構成する弾性片３１０を拡開しながらハウジング２００内に進入することができる直径を有するように形成されなければならない。
【００４９】
これは、拘束片５００の直径があまり過度に大きな場合、一方向進入部３００を通じてのプランジャー４００の進行を干渉して注射器の円滑な使用ができないからである。
【００５０】
すなわち、拘束片５００は一方向進入部３００の管路を通過した後、一方向進入部３００を構成する弾性片３１０の端部にかかるように構成されることによってプランジャー４００の後進を拘束するものである。
【００５１】
この際、拘束片５００は、図１及び図３に示したように、プランジャー４００の長手方向に２対で備えられることが好ましい。
【００５２】
このように、拘束片５００が一対で備えられることによって、一対の拘束片５００の間には間隔（隙間）が形成されることになる。
【００５３】
前記間隔は後述する進入防止クリップ６００が差し込まれるようにするための構成である。
【００５４】
次に、進入防止クリップ６００は普段にプランジャー４００のシリンダー１００内への進入を拘束する役目をする。
【００５５】
本考案による注射器の技術的特徴はシリンダー１００内に進入したプランジャー４００がシリンダー１００の外部に抜け出ることができないようにして注射器の再使用を防止することである。注射器の使用前に不注意によってシリンダー内にプランジャー４００が進入すれば使用が難しくなって浪費となるから、このような浪費要素を防止するために進入防止クリップ６００を備えるものである。
【００５６】
進入防止クリップ６００は拘束片５００に結合することができるように形成され、一側が開口した結合溝部６１０を有する。
【００５７】
結合溝部６１０は進入部６１１と係合部６１２を含む。
【００５８】
進入部６１１は一対の拘束片５００の間に形成されたプランジャー４００部分を係合部６１２に案内する役目をし、その幅はプランジャー４００の直径より小さく形成される。
【００５９】
係合部６１２はプランジャー４００の外周にかかって結合される部位であり、プランジャー４００の外径に対応する形態に形成される。
【００６０】
係合部６１２は円形に形成され、その直径はプランジャー４００の直径に対応する。
【００６１】
このような結合溝部６１０の構成によって、プランジャー４００に進入防止クリップ６００が結合するとき、進入防止クリップ６００の進入部６１１がプランジャー４００によって外側に広がってから係合部６１２に至ってはプランジャー４００の外周面を取り囲むことにより、プランジャー４００に進入防止クリップ６００が結合することができるものである。
【００６２】
以下、このように構成された再使用防止使い捨て注射器の作用について説明する。
【００６３】
図３は最初状態の注射器を示したもので、プランジャー４００の大部分はシリンダー１００の内部に進入し、進入防止クリップ６００は一対の拘束片５００の間に差し込まれることで、シリンダー１００の内部にプランジャー４００の全体が進入することを拘束する。
【００６４】
このような状態で、注射器を使うためには、拘束片５００から進入防止クリップ６００を分離させる。
【００６５】
この時、進入防止クリップ６００を引っ張ると、結合溝部６１０の進入部６１１がプランジャー４００と干渉しながら両側に広がってプランジャー４００から分離される。
【００６６】
このように、プランジャー４００から進入防止クリップ６００が分離されることにより、プランジャー４００の進行方向は自由な状態となる。
【００６７】
ついで、使用者は、図５に示したように、プランジャー４００を引っぱってシリンダー１００の内部に負圧を発生させて薬剤を吸い込む。
【００６８】
ついで、患者の皮膚に注射針１１０を差し込んだ状態でプランジャー４００のプッシュヘッド４２０を押して加圧すれば、シリンダー１００の内部には正圧が発生して、注射針１１０を通じて薬剤を吐き出す。
【００６９】
この時、プランジャー４００の周囲に形成された拘束片５００は一方向進入部３００の弾性片３１０を拡開しながら管路を確保して、図６に示したように、ハウジング２００の内部に進入する。
【００７０】
その後、拘束片５００がハウジング２００の内部に位置すれば、複数の弾性片３１０は復元力によって元の位置に戻り、拘束片５００は弾性片３１０の端部に対応する。
【００７１】
これにより、プランジャー４００を引っ張っても、図６に示したように拘束片５００が一方向進入部３００の弾性片３１０の端部にかかるので、シリンダー１００の内部からプランジャー４００が抜け出ることを防止する。
【００７２】
このような原理で、注射器の使用を根本的に封鎖することができるようになる。
【００７３】
これまで説明したように、本考案による再使用防止使い捨て注射器は、シリンダー１００の開口部１２０に一方向進入部３００が形成されたハウジング２００が取り付けられ、プランジャー４００には一方向進入部３００の一側を拡開しながら進行してから前記一方向進入部３００の他側にかかることによって、プランジャー４００が元の位置に戻ることを拘束する拘束片５００が形成されたことに技術的特徴がある。
【００７４】
これにより、使い捨て注射器の再使用を根本的に封鎖して、注射器の再使用による感染事故を防止することができるようになる。
【００７５】
以上、本考案を前述した具体例に基づいて詳細に説明したが、本考案の技術思想範囲内で多様な変形及び修正が可能であるのは当業者に明らかであり、このような変形及び修正は添付の実用新案登録請求範囲に属するものであるのは言うまでもない。
【符号の説明】
【００７６】
１００    シリンダー
１１０    注射針
１２０    開口部
２００    ハウジング
２１０    通孔
３００    一方向進入部
３１０    弾性片
４００    プランジャー
４１０    ガスケット
４２０    プッシュヘッド
４３０    破断首
５００    拘束片
６００    進入防止クリップ
６１０    結合溝部
６１１    進入部
６１２    係合部
【図１】
0003221644.tif 000003
【図２】
0003221644.tif 000004
【図３】
0003221644.tif 000005
【図４】
0003221644.tif 000006
【図５】
0003221644.tif 000007
【図６】
0003221644.tif 000008